(57)【要約】【課題】ユニットケースの分割部から結露水が漏れた場合にも安全に排出できる乾燥機を提供すること。【解決手段】被乾燥物を収容する回転ドラム１と、乾燥用空気を送風する送風機３と、前記回転ドラム１から排出された乾燥用空気を再び前記回転ドラム１に導く循環風路２７と、乾燥用空気を除湿し加温する熱交換部８と、前記熱交換部８が熱交換することにより生じた結露水を排水する排水手段５とを備え、前記熱交換部８は、上部分割部材１１ａおよび下部分割部材１１ｂを有するユニットケース１１に収容され、前記ユニットケース１１の乾燥用空気の出入り口１２、１７のうち少なくとも一方は、前記上部分割部材１１ａに一体に構成されて前記下部分割部材１１ｂと接続する。【選択図】図３
2014140438.tif 000002
【特許請求の範囲】
【請求項１】
被乾燥物を収容する回転ドラムと、
乾燥用空気を送風する送風機と、
前記回転ドラムから排出された乾燥用空気を再び前記回転ドラムに導く循環風路と、
乾燥用空気を除湿し加温する熱交換部と、
前記熱交換部が熱交換することにより生じた結露水を排水する排水手段とを備え、
前記熱交換部は、上部分割部材および下部分割部材を有するユニットケースに収容され、前記ユニットケースの乾燥用空気の出入り口のうち少なくとも一方は、前記上部分割部材に一体に構成されて前記下部分割部材と接続する乾燥機。
【請求項２】
前記熱交換部は除湿部を有し、
前記出入り口のうち、前記除湿部との距離が近い一方の出入り口が、少なくとも前記上部分割部材に一体に構成される請求項１に記載の乾燥機。
【請求項３】
前記排水手段の充電部は、前記上部分割部材に設けた前記出入り口の最下部より高い位置に配置した請求項１または２に記載の乾燥機。
【発明の詳細な説明】
【技術分野】
【０００１】
本発明はヒートポンプ式の乾燥機に関する。
【背景技術】
【０００２】
従来、この種の乾燥機は、加熱した空気を送風機で循環風を生成し、水槽の中の衣類を乾燥している（例えば、特許文献１参照）。
【０００３】
図６は、特許文献１に記載された従来の洗濯乾燥機の側断面図である。図７は、従来の洗濯乾燥機のヒートポンプユニットの一部斜視図である。図６に示すように、衣類が投入される回転ドラム１０１と、回転ドラム１０１が回転可能に収納された水槽１０２と、水槽１０２の空気を一方向に循環させる送風機１０３と、送風機１０３が生成する循環風を過熱するヒートポンプユニット１０４と、ヒートポンプユニット１０４内に溜まった結露水を排水するための排水ポンプ１０５とで構成されている。
【０００４】
図７に示すように、ユニットケース３８は上下に分割される上方分割部材（図示せず）と下方分割部材３８２とを有する。シール接続面がほぼ平坦であるため、組み立てが容易に構成されている。ユニットケース３８から空気が出入りする吸引排出口３９２は、下方分割部材３８２に形成されている。これにより、上方分割部材と下方分割部材３８２との接続は、吸引排出口３９２の上部においてシールされる。
【先行技術文献】
【特許文献】
【０００５】
【特許文献１】特開２０１０−６４０２０号公報
【発明の概要】
【発明が解決しようとする課題】
【０００６】
しかしながら、前記従来の構成では、水位検知異常でユニットケースの上部分割部材と下部分割部材の接続部から水漏れが発生した場合、ユニットケースの下部に位置する排水ポンプの充電部に水が掛かって、排水ポンプが故障するという課題を有していた。
【０００７】
本発明は、前記従来の課題を解決するもので、ユニットケースの分割部から結露水が漏れた場合にも安全に排出できる乾燥機を提供することを目的としている。
【課題を解決するための手段】
【０００８】
前記従来の課題を解決するために、本発明の乾燥機は、被乾燥物を収容するドラムと、乾燥用空気を送風する送風機と、前記ドラムから排出された乾燥用空気を再び前記ドラムに導く循環風路と、乾燥用空気を除湿し加温する熱交換部と、前記熱交換部が熱交換することにより生じた結露水を排水する排水手段とを備え、前記熱交換部は、上部分割部材および下部分割部材を有するユニットケースに収容され、前記ユニットケースの乾燥用空気の出入り口のうち少なくとも一方は、前記上部分割部材に一体に構成されて前記下部分割部材と接続するものである。
【０００９】
これによって、ヒートポンプの上部分割部材と下部分割部材の接続部から漏れた水が排水手段などの他の部品へ付着することをできるだけ防止する。
【発明の効果】
【００１０】
本発明の洗濯機は、ユニットケースの分割部材から漏れた水が排水手段などの他の部品
へ付着することをできるだけ防止することができる。
【図面の簡単な説明】
【００１１】
【図１】本発明の実施の形態１における乾燥機の側断面図
【図２】同乾燥機の一部斜視図
【図３】同乾燥機のヒートポンプユニットの上面図
【図４】同乾燥機のヒートポンプユニットの側面図
【図５】同乾燥機のヒートポンプユニットの分割状態を示す斜視図
【図６】従来の洗濯乾燥機の側断面図
【図７】従来の洗濯乾燥機のヒートポンプユニットの一部斜視図
【発明を実施するための形態】
【００１２】
本発明の乾燥機は、被乾燥物を収容するドラムと、乾燥用空気を送風する送風機と、前記ドラムから排出された乾燥用空気を再び前記ドラムに導く循環風路と、乾燥用空気を除湿し加温する熱交換部と、前記熱交換部が熱交換することにより生じた結露水を排水する排水手段とを備え、前記熱交換部は、上部分割部材および下部分割部材を有するユニットケースに収容され、前記ユニットケースの乾燥用空気の出入り口のうち少なくとも一方は、前記上部分割部材に一体に構成されて前記下部分割部材と接続するものである。
【００１３】
これにより、乾燥用空気の出入り口の接続部の接続不良で水漏れが発生した場合、上部分割部材と下部分割部材の接続部の最下部から水漏れするため、被害を最小限に抑えることができる。
【００１４】
上記構成において本発明の乾燥機は、前記熱交換部は除湿部を有し、前記出入り口のうち、前記除湿部との距離が近い一方の出入り口が、少なくとも前記上部分割部材に一体に構成されるものである。
【００１５】
これにより、分割部材の接続部から水漏れした場合、除湿部との距離がより近い方から結露水が排出されるので、被害を最小限に抑えることができる。
【００１６】
上記構成において本発明の乾燥機は前記排水手段の充電部は、前記上部分割部材に設けた前記出入り口の最下部より高い位置に配置したものである。
【００１７】
これにより、排水手段の充電部への水付着を防止し、充電部のショートやコイルの腐食によるレアショート等が原因の排水ポンプの故障がなくすことができる。
【００１８】
（実施の形態１）
図１は、本発明の実施の形態１における洗濯機の側断面図、図２は、同洗濯機の一部斜視図、図３は、同洗濯機のヒートポンプユニットの上面図、図４は、同乾燥機のヒートポンプユニットの側面図、図５は同乾燥機のヒートポンプユニットの分割状態を示す斜視図である。図１、図２および図３において、被乾燥物を収容する回転ドラム１（ドラム）は、正面側に開口部１ａを有する。回転ドラム１は水槽２内に収容される。回転ドラム１および水槽２は、後部側を回転軸方向が水平方向から下向き傾斜となるように水槽２内に設置している。なお本実施の形態において、回転ドラム１および水槽２は傾斜配置していなくてもよく、水平配置でも縦型でもよい。
【００１９】
回転ドラム１には、その周面に水槽２内に通じる多数の透孔（図示せず）が形成される。回転ドラム１の内周面の周方向の複数位置には撹拌突起１ｂが設けられる。回転ドラム１は水槽２の下方に取り付けられたモータ１４によって、プーリを介して正転及び逆転方向に回転駆動される。なお、回転ドラム１の回転駆動は、プーリを介した駆動ではなく、
モータが水槽２の背面に設けられる直接駆動型のものであってもよい。また、水槽２には、注水管路及び排水管路が配管接続され、注水弁及び排水弁の制御によって水槽２内への注水及び排水がなされる。
【００２０】
循環風路２７は、水槽２内から排出された乾燥用空気を再び回転ドラム１に導く。循環風路２７の途中には、順換風路２０内の乾燥用空気を送風する送風機３が設けられる。
【００２１】
送風機３の１次側には、乾燥用空気を除湿し加温するヒートポンプ式の熱交換部８が設けられる。熱交換部８は、乾燥用空気を除湿する蒸発器９（除湿部）と、乾燥用空気を加熱する凝縮器１０（加熱部）を有する。熱交換部８はユニットケース１１に収容される。また、ユニットケース１１には、蒸発器９および凝縮器１０に冷媒を循環させる圧縮機７が配置される。ユニットケース１１は、上カバー１１ａ（上部分割部材）および下カバー１１ｂ（下部分割部材）を有する。ユニットケースの上カバー１１ａには、熱交換部８に乾燥用空気を導入する吸引導入口１２（出入り口）および熱交換部８を通過した乾燥用空気を排出する排気口１７（出入り口）が形成されている。吸引導入口１２および排気口１７は、その下部で下カバー１１ｂと接続嵌合する。上カバー１１ａと下カバー１１ｂとの接続はシール部材による接続であってもよいし、ラビリンスを形成することによる接続であってもよい。
【００２２】
ヒートポンプユニット４の近傍には、熱交換によって生じた結露水を排水するための排水ポンプ５（排水手段）が配置される。排水ポンプ５は排気口１７よりも吸引導入口１２に近い場所に設けられている。上記において、吸引導入口１２および排気口１７は上カバー１１ａに形成することとしたが、少なくとも排水ポンプ５に近い側の出入り口が上カバー１１ａ形成されていればよい。排水ポンプ５の充電部１３は、上カバー１１ａに設けた吸引導入口１２の最下部１２ａより高い位置に配置している。
【００２３】
本実施の形態の乾燥機は、洗い、すすぎ、脱水の各工程に加え、水槽２内に送風することを繰り返して被乾燥物を乾燥させる乾燥工程を行う。以下、洗濯、乾燥工程について説明する。
【００２４】
扉を開いて回転ドラム１内に洗濯物及び洗剤を投入して例えば前面上部に設けられた操作パネル１５での操作で、その内側などに設けられた制御基板（図示せず）などによる制御を通じて運転を開始させると、水槽２内には注水管路から所定量の注水がなされ、モータ１４により回転ドラム１が回転駆動されて洗い工程が開始される。回転ドラム１の回転により、回転ドラム１内に収容された洗濯物は回転ドラム１の内周壁に設けられた撹拌突起１ｂによって回転方向に持ち上げられ、持ち上げられた適当な高さ位置から落下する撹拌動作が繰り返されるので、洗濯物には叩き洗いの作用が及んで洗濯がなされる。所要の洗濯時間の後、汚れた洗濯液は排水管路から排出され、回転ドラム１を高速回転させる脱水動作により洗濯物に含まれた洗濯液を脱水し、その後、水槽２内に注水管路から注水してすすぎ工程が実施される。このすすぎ工程においても回転ドラム１内に収容された洗濯物は回転ドラム１の回転により撹拌突起により持ち上げられて落下する撹拌動作が繰り返されてすすぎ洗いが実施され、再度脱水工程を行う。その後、乾燥工程を行う。
【００２５】
乾燥工程における空気の流れは以下の通りである。回転ドラム１および水槽２内の乾燥用空気は、乾燥用空気中に含まれる糸くずを捕集するリントフィルタ２６を通過後、第１ダクト２０、第２ダクト１９、第３ダクト１８を通過して吸引導入口１２からユニットケース１１に入る。蒸発器９にて水分が除かれ、低湿となった乾燥用空気は、凝縮器１０にて加熱され高温となる。その後、排気口１７を介してユニットケース１１から排気される。高温低湿の乾燥用空気は、第４ダクト１６を通過し送風機３に吸引され、第５ダクト６に圧送される。その後、再び水槽２、回転ドラム１内に導入される。
【００２６】
図２及び図３に示すように、ヒートポンプユニット４は、二次側の送風機３に第４ダクト１６を介してヒートポンプユニット４の排気口１７と接続している。これにより、送風機３の吸引力はヒートポンプユニット４内におよび、ヒートポンプユニット４の他端側の吸引導入口１２から第３ダクト１８、第２ダクト１９、第１ダクト２０を通じ水槽２内に作用する。よって、水槽２内の空気をヒートポンプユニット４内に吸引して蒸発器９および凝縮器１０を通して除湿および加熱し、除湿および加熱後の乾燥した高温空気は排気口１７から、送風機３で吸引し、送風機３の吹き出し部２１から第５ダクト６を通じ水槽２内に送風し回転ドラム１内の洗濯物を乾燥させることを繰り返す。
【００２７】
以上のように、本発明の乾燥機は、被乾燥物を収容する回転ドラム１と、乾燥用空気を送風する送風機３と、回転ドラムから排出された乾燥用空気を再び回転ドラム１に導く循環風路２７と、乾燥用空気を除湿し加温する熱交換部８と、熱交換部８が熱交換することにより生じた結露水を排水する排水手段５とを備え、熱交換部８は、上部分割部材１１ａおよび下部分割部材１１ｂを有するユニットケース１１に収容され、ユニットケース１１の乾燥用空気の出入り口１２、１７のうち少なくとも一方は、上部分割部材１１ａに一体に構成されて下部分割部材１１ｂと接続するものである。
【００２８】
これにより、乾燥用空気の出入り口１２、１７の接続部の接続不良で水漏れが発生した場合、上部分割部材１１ａと下部分割部材１１ｂの接続部の最下部１２ａから水漏れするため、被害を最小限に抑えることができる。
【００２９】
また、熱交換部８は除湿部９を有し、出入り口１２、１７のうち、除湿部９との距離が近い一方の出入り口が、少なくとも上部分割部材１１ａに一体に構成されるものである。
【００３０】
これにより、分割部材の接続部から水漏れした場合、除湿部９との距離がより近い方から結露水が排出されるので、被害を最小限に抑えることができる。
【００３１】
まら、排水ポンプ５の充電部１３は、上カバー１１ａに設けた吸引導入口１２の最下部１２ａより高い位置に配置したことにより、第３ダクト１８と吸引導入口１２の組立て不良や水位検知異常が働かなかった場合、排水ポンプ５の充電部１３が、上カバー１１ａに設けた吸引導入口１２の最下部より高い位置に配置したことにより、排水ポンプ５の充電部１３への水付着を防止し、充電部１３のショートやコイルの腐食によるレアショート等が原因の排水ポンプの故障がなくすことができる。
【００３２】
なお、吸引導入口１２を上カバー１１ａに設けた説明をしたが、吸引導入口１２と排気口１７を上カバー１１ａに設けてもよい。
【００３３】
なお、本実施の形態において乾燥機として洗濯乾燥機を例示して説明したが、これにかぎられず洗濯機能のない乾燥機であってもよい。
【産業上の利用可能性】
【００３４】
以上のように、本発明にかかる洗濯機は、パルセータ式洗濯機において、衣類を乾燥するときに発生する除湿水の排水ポンプへの水付着防止も可能となるので、衣類の乾燥機能を有した洗濯機等として有用である。
【符号の説明】
【００３５】
１  回転ドラム
２  水槽
３  送風機
４  ヒートポンプユニット
５  排水ポンプ（排水手段）
７  圧縮機
８  熱交換部
９  蒸発器（除湿部）
１０  凝縮器（加熱部）
１１  ユニットケース
１１ａ  上カバー（上部分割部材）
１１ｂ  下カバー（下部分割部材）
１２  吸引導入口（出入り口）
１３  充電部
１７  排気口（出入り口）
【図１】
2014140438.tif 000003
【図２】
2014140438.tif 000004
【図６】
2014140438.tif 000005
【図３】
2014140438.tif 000006
【図４】
2014140438.tif 000007
【図５】
2014140438.tif 000008
【図７】
2014140438.tif 000009